(57)【要約】【課題】一般住宅に使用する建具である戸襖として、通気性、消臭性を備えていることを特徴とする。【解決手段】戸襖の構造において、戸襖の内部に、一枚又は複数の有孔板を備え、最表面に襖紙を貼着した戸襖であって、有孔板の全面積に対して約１０％となるように直径２．０ｃｍ〜３．０ｃｍの円形の孔をあけ、その孔には顆粒状の炭素粉と耐熱性接着剤を混合した詰物を充填して充填炭素層として収め、戸襖の周囲を木枠で囲い、外周を襖化粧枠で整形したことを特徴とする、通気性と消臭性を備えた戸襖。【選択図】図２
0003117003.tif 000002
【実用新案登録請求の範囲】
【請求項１】
戸襖の構造において、戸襖１の内部に、一枚又は複数の有孔板５を備え、最表面に襖紙４を貼着した戸襖１であって、有孔板５の全面積に対して約１０％となるように直径２．０ｃｍ〜３．０ｃｍの円形の孔をあけ、その孔には顆粒状の炭素粉と耐熱性接着剤を混合した詰物を充填して充填炭素層７として収め、戸襖１の周囲を木枠２で囲い、外周を襖化粧枠３で整形したことを特徴とする、通気性と消臭性を備えた戸襖。
【請求項２】
戸襖１の有孔板５は合板、石膏板、コルク板であることを特徴とする、請求項１に記載の通気性と消臭性を備えた戸襖。
【請求項３】
戸襖１の有孔板５は厚手の一枚板であることを特徴とする、請求項１に記載の通気性と消臭性を備えた戸襖。
【請求項４】
戸襖１の有孔板５は格子桟６を挟んで表裏二枚であることを特徴とする、請求項１に記載の通気性と消臭性を備えた戸襖。
【請求項５】
炭素粉の粒度は１０００μ〜３０００μ（１６〜６メッシュ）であることを特徴とする、請求項１に記載の通気性と消臭性を備えた戸襖。
【考案の詳細な説明】
【技術分野】
【０００１】  本考案は、住宅に使用する戸襖に関し、住宅内に生ずる臭気を消し通気性と空気浄化性を具備する軽量な戸襖に関する。
【背景技術】
【０００２】  最近の住宅事情を見るとき、マンションなどの集合住宅や一戸建の住宅の仕様として、洋風、和風と千差万別であるが、各部屋の間取りについてはその仕切りを壁やドアとするか、純和風の障子や襖、戸襖とするかはその住宅構造にもよるが、襖、戸襖で設計される家も多い。【０００３】  しかしながら、日本間の襖は美的要素が高く内側に和紙などを用いる関係上費用的に見ても高価となり、上品であるだけに強度は決して頑固なものとは言えない。現代建築の特徴ともなっている和洋折衷の一戸建住宅も増え、部屋の仕切りに戸襖を使用する傾向も増えているように見受けられる。しかしながら従来の戸襖は襖紙の中は、表裏合板で形成されており、比較的重く通気性はない。【０００４】  現代の建築方法の中にあって、建具としての戸襖の構造については幾多の構造物があり、比較的厚手の一枚板、即ちそれらの材質としてベニヤ板等の合板、コルクからなる圧縮板、石膏板等があり、中央に障子桟のような格子桟を挟んで薄手の板を表裏に収めたもの、及び両薄手の板中央が単なる空間となっているもの等多種に亘っている。それらにおいても同様に空気の透過性はない。【０００５】  密閉型の洋風住宅は換気のための換気扇やエアコンを必要とし、臭気などのこもる和風の一般家庭では、障子や襖での通気、換気を計ったり、木炭を部屋の床の間や玄関、下駄箱等に置いて消臭を計っている情景を最近良く見かける事がある。【０００６】  従来品で戸襖ではなく衝立・屏風として木炭を組み込んだものが特開平１１−３４０９１０号として知られているが、このものは、木炭の切株の年輪を装飾的効果として表す目的で額に入れて置くもので、木炭の機能としての通気性、消臭性、殺菌性などを意図して製作されたものではない。
【考案の開示】
【考案が解決しようとする課題】
【０００７】  本考案は、間取りなどが和風の住宅や戸襖を使用している和洋折衷の住宅に好適な現代建築に沿った建具としての戸襖を開発する事を課題として成されたもので、特徴として、安価、軽量で強度に優れ、換気機能を持ち、且つ住居に発生する特有の臭気を吸収し殺菌性も具備する戸襖を開発したものである。
【課題を解決するための手段】
【０００８】  本考案は、以下に記載する構成を有する。
１  戸襖の構造において、戸襖１の内部に、一枚又は複数の有孔板５を備え、最表面に襖紙４を貼着した戸襖１であって、有孔板５の全面積に対して約１０％となるように直径２．０ｃｍ〜３．０ｃｍの円形の孔をあけ、その孔には顆粒状の炭素粉と耐熱性接着剤を混合した詰物を充填して充填炭素層７として収め、戸襖１の周囲を木枠２で囲い、外周を襖化粧枠３で整形したことを特徴とする、通気性と消臭性を備えた戸襖。
２  戸襖１の有孔板５は合板、石膏板、コルク板であることを特徴とする、請求項１に記載の通気性と消臭性を備えた戸襖。
３  戸襖１の有孔板５は厚手の一枚板であることを特徴とする、請求項１に記載の通気性と消臭性を備えた戸襖。
４  戸襖１の有孔板５は格子桟６を挟んで表裏二枚であることを特徴とする、請求項１に記載の通気性と消臭性を備えた戸襖。
５  炭素粉の粒度は１０００μ〜３０００μ（１６〜６メッシュ）であることを特徴とする、請求項１に記載の通気性と消臭性を備えた戸襖。
【考案の効果】
【０００９】  本考案は、現代の住宅事情に鑑みて成されたものであり、戸襖としての強度と通気性を持ち、しかも住宅特有の臭気を抑える機能及び殺菌性を有し、現代住宅の建具として軽量で安価に容易に製作することが出来る戸襖である。通気性を有しながら冬季においては保温性もあり、湿度の高い季節であっても吸湿し発散し呼吸作用をもたらす効果もある。
【考案を実施するための最良の形態】
【００１０】  戸襖製作に当たって考慮すべきは、炭素粉を用いてこれを接着剤で結合するに際して、通気可能にポーラスにするために炭素粉の粒度はあまり細粉化したものでなく、請求項５に記載したとおりＪＩＳの１０００μから３０００μ（１６〜６メッシュ）程度のものとし、接着剤の使用割合も低いほど好ましく費用的にも低く留めることが出来る。通常は、主として市販の熱抵抗性の高い酸化シリコンを炭素粉の５〜１５重量％の割合で混合して有孔板の孔に充填する。【００１１】  炭素粉は本来可燃性のもので、固化する接着剤が可燃性の高分子重合物を用いることは避けなければならず、本考案において耐熱性接着剤との組み合わせは不可欠の要素である。  ここに使用する耐熱性接着剤としては、一般に知られている酸化シリコン、シリコン樹脂、エポキシ樹脂とフェノール樹脂の混合物などを用いるが、それらは熱硬化性で、炭素粉と混合して形成された充填炭素層は火炎に対しても抵抗性は高く、焔に曝しても容易に着火せず熱に強い抵抗力を示すものである。【００１２】  それら耐熱性接着剤の使用割合は、炭素粉の崩落が防げれば少ないほど通気性を保つ事が出来て、費用面においても有利であり、炭素粉の重量に対して５重量％〜１５重量％の割合で混合使用する。比較的炭素粉の粒度の高い場合はシリコン樹脂を表面活性剤と混合して乳化したエマルジョン適用する場合もある。表面活性剤は、アニオン系、カチオン系、ノニオン系の何れでもよく、それらの代表的な高級脂肪酸のアルカリ塩（石鹸）、第４級アンモニウム塩、ポリエチレングリコールアルキルエーテルなどを用いる。【００１３】  本考案において使用する戸襖の骨格をなす本体の材料は、請求項２に記載したベニヤ板などの合板、石膏板、コルクを圧搾したコルク板を用いるが、石膏板やコルク板は、カッターナイフで容易にカット出来、工作が楽である利点があり、格式や費用及び重量などの関係からそれらの何れかを選択使用する。【００１４】  有孔板は、建具の質を鑑みて用いるが、本考案では請求項３に記載した厚手の合板やコルク板、石膏板に穿孔して一層で製作する場合、又は請求項４のように二枚の有孔板を表裏二枚用い、間に格子桟で補強して製作することも本考案の技術的範囲に含まれ、種々の事情によっては中は空間としておく場合もある。【００１５】  有孔板の孔に充填炭素層を設ける方法としては、ドクターナイフコーティングする場合でも、手工による場合でも、有孔板を汚さないために薄手のプラスチックフィルムを貼着したうえで穿孔し、その上から炭素粉混合物を充填して後に該フィルムを剥離する。【００１６】  戸襖の敷居、鴨居に接する部分と縦両側は木枠で囲って固定し、柱に接する部分と戸襖の周辺は適宜色彩の襖化粧枠で整形する。【００１７】  充填炭素層は、耐熱性接着剤により容易に崩落するものではないが、戸襖としての孔の面積があまり多くなると、当然強度上問題となり、反対に孔の面積が小さ過ぎれば充填炭素層としての空気透過効果が落ちるとともに、消臭効果も失われる結果となる。また、孔の直径が大き過ぎると充填炭素層の形態安定性が悪く脱落の可能性が高くなる。よって本考案においては、孔の直径は２ｃｍ〜３ｃｍで、孔の占める面積は戸襖の約１��％相当が通気性、形態安定性、充填炭素層による消臭性として好適な実施の形態となる。
【実施例１】
【００１８】  実施例１として、請求項４に記載した実施の形態に基づいて述べれば、縦１８０ｃｍ横９０ｃｍ、厚さ０、３ｃｍの有孔板５合板にプラスチックフィルムを貼り、直径３．０ｃｍの孔を約２００個打抜き、別に粒子径約２０００ｕの炭の粉末５００ｇに対して酸化シリコン接着剤５０ｇを混練してペーストとし、これを有孔板５の孔に充填して充填炭素層７とし２時間乾燥硬化させて、この２枚を戸襖の格子桟６を挟んで接着固定する。これを寸法補正して周囲を戸襖１の木枠２にはめ込んでゆく。この両表面に襖紙４を貼着後、襖化粧枠３で整形し製品とする。
【実施例２】
【００１９】  実施例２として、請求項３に記載した実施の形態について述べれば、縦１８０ｃｍ横９０ｃｍ、厚さ１．０ｃｍの一枚の石膏板にプラスチックフィルムを貼り、直径２．５ｃｍの孔を約２００個打抜いて有孔板５とし、別に粒子径約３０００μの炭の粉末５００ｇに対して酸化シリコン接着剤７０ｇを混練してペーストとし、これを有孔板５の孔に充填して充填炭素層７とし２時間乾燥硬化させて、この有孔板５を寸法補正して周囲を戸襖１の木枠２にはめ込んでゆく。この両表面に襖紙４を貼着後、襖化粧枠３で整形し製品とする。【００２０】  図面について説明すると、図１は戸襖の斜視図で、図２は戸襖の内層構造を示す一部切欠斜視図、図３は戸襖の側面断面図である。
【産業上の利用可能性】
【００２１】  本考案の戸襖は、主として日本間式の建具として使用されるが、製作が容易で炭素、即ち木炭として大量に生産される第三国において、比較的低い人件費で製作できるルートから非常に安価に生産でき、現代建築の一般住宅における建具として、空気透過性、脱臭性、保温性、殺菌性など、多くの優れた特徴を有し、住宅特有の不快臭を消失可能な戸襖であって、その需要は今後益々延びてゆくものと推測される。
【図面の簡単な説明】
【００２２】
【図１】本考案に係る戸襖の斜視図
【図２】本考案に係る戸襖の一部切欠斜視図
【図３】本考案に係る戸襖の側面断面図
【符号の説明】
【００２３】  １    戸襖
２    木枠
３    襖化粧枠
４    襖紙
５    有孔板
６    格子桟
７    充填炭素層
【図１】
0003117003.tif 000003
【図２】
0003117003.tif 000004
【図３】
0003117003.tif 000005